(57)【要約】【課題】サイン板を着脱可能に取り付けられると共にサイン板が風によって外れにくいスタンドサイン表示具を提供することを目的としている。【解決手段】本発明に係るスタンドサイン表示具１は、先端側が表示面部３側に延出するように表示面部３の縁部１５又はその近傍に取り付けられ、サイン板５が浮き上がろうとしたときにサイン板５に当接して浮き上がりを防止する複数の浮上防止片２３を有し、浮上防止片２３と表示面部３との隙間にサイン板５を挿入してサイン板５を表示面部３に保持するようにしたものであって、浮上防止片２３は、表示面部３の両側辺、上辺及び下辺のそれぞれに設けられた側辺浮上防止片２３Ａ、上辺浮上防止片２３Ｃ及び下辺浮上防止片２３Ｂを有し、上辺浮上防止片２３Ｃと側辺浮上防止片２３Ａの少なくとも一方は、その先端側が表示面部３から退避可能となるように取り付けられている。【選択図】  図１
2020112734.tif 000002
【特許請求の範囲】
【請求項１】
屋外に載置されて、矩形状の表示面部に矩形板状で湾曲変形する樹脂製のサイン板を着脱可能に取り付けるものであって、先端側が表示面部側に延出するように前記表示面部の縁部又はその近傍に取り付けられ、前記サイン板が浮き上がろうとしたときに該サイン板に当接して浮き上がりを防止する複数の浮上防止片を有し、該浮上防止片と表示面部との隙間に前記サイン板を挿入して該サイン板を前記表示面部に保持するようにしたスタンドサイン表示具であって、
前記浮上防止片は、前記表示面部の両側辺、上辺及び下辺のそれぞれに設けられた側辺浮上防止片、上辺浮上防止片及び下辺浮上防止片を有し、
前記上辺浮上防止片と前記側辺浮上防止片の少なくとも一方は、その先端側が前記表示面部から退避可能となるように取り付けられていることを特徴とするスタンドサイン表示具。
【請求項２】
前記表示面部は、幅方向の中央部が両端よりも高くなるように湾曲しており、前記上辺浮上防止片の先端が前記表示面部から退避可能になっていることを特徴とする請求項１記載のスタンドサイン表示具。
【発明の詳細な説明】
【技術分野】
【０００１】
本発明は、例えばコンビニエンスストアにおいて販売促進のために用いられる広告媒体であるＰＯＰ（ポップ）、道路標識等の案内板などの情報を表示するサイン板を着脱可能に取り付けて表示するためのスタンドサイン表示具に関する。
【背景技術】
【０００２】
スタンドサイン表示具としては、例えば特許文献１に開示されたように、ブロー成形された表示板に、サイン板を取り付けるものが一般的である。
スタンドサイン表示具は種々の店舗で利用され、サイン板も多種多様であるため、表示板に対して着脱可能である必要がある。
サイン板を着脱可能に取り付けるための態様として、特許文献１では、表示板の両側辺に複数のコ字状金具が設けられ、コ字状金具と表示板との隙間にサイン板を挿入して、コ字状金具でサイン板を保持するようにしている。
【先行技術文献】
【特許文献】
【０００３】
【特許文献１】特開２０１７−１３４２０２号公報
【発明の概要】
【発明が解決しようとする課題】
【０００４】
サイン板は着脱可能であることが必須であり、また、スタンドサイン表示具はコンビニエンスストア等においては、店舗の外に載置されることが一般的である。また、サイン板は、樹脂製の板状体からなり、湾曲して撓みやすいものである。
この場合、台風等の強風時において、サイン板と表示板との隙間に風が入り込み、サイン板が外側に向かって膨らむように撓み、両側辺のコ字金具のサイン板に対する係止が外れ、サイン板が飛ばされるという事態が生ずることがある。
【０００５】
本発明はかかる課題を解決するためになされたものであり、サイン板を着脱可能に取り付けられると共にサイン板が風によって外れにくいスタンドサイン表示具を提供することを目的としている。
【課題を解決するための手段】
【０００６】
（１）本発明に係るスタンドサイン表示具は、屋外に載置されて、矩形状の表示面部に矩形板状で湾曲変形する樹脂製のサイン板を着脱可能に取り付けるものであって、先端側が表示面部側に延出するように前記表示面部の縁部又はその近傍に取り付けられ、前記サイン板が浮き上がろうとしたときに該サイン板に当接して浮き上がりを防止する複数の浮上防止片を有し、該浮上防止片と前記表示面部との隙間に前記サイン板を挿入して該サイン板を表示面部に保持するようにしたスタンドサイン表示具であって、
前記浮上防止片は、前記表示面部の両側辺、上辺及び下辺のそれぞれに設けられた側辺浮上防止片、上辺浮上防止片及び下辺浮上防止片を有し、
前記上辺浮上防止片と前記側辺浮上防止片の少なくとも一方は、その先端側が前記表示面部から退避可能となるように取り付けられていることを特徴とするものである。
【０００７】
（２）また、上記（１）に記載のものにおいて、前記表示面部は、幅方向の中央部が両端よりも高くなるように湾曲しており、前記上辺浮上防止片の先端が前記表示面部から退避可能になっていることを特徴とするものである。
【発明の効果】
【０００８】
本発明に係るスタンドサイン表示具においては、浮上防止片が、表示面部の両側辺、上辺及び下辺のそれぞれに設けられた側辺浮上防止片、上辺浮上防止片及び下辺浮上防止片から構成され、前記上辺浮上防止片と前記側辺浮上防止片の少なくとも一方は、その先端側が前記表示面部から退避可能となるように取り付けられていることにより、サイン板を着脱可能に取り付けられると共にサイン板が風によって外れにくい。
【図面の簡単な説明】
【０００９】
【図１】本実施の形態に係るスタンドサイン表示具の斜視図である。
【図２】本実施の形態に係るスタンドサイン表示具の正面図である。
【図３】本実施の形態に係るスタンドサイン表示具の平面図である。
【図４】図２の矢視Ａ−Ａ断面図である。
【図５】図１に示したスタンドサイン表示具においてサイン板を外した状態の斜視図である。
【発明を実施するための形態】
【００１０】
本実施の形態に係るスタンドサイン表示具１は、屋外に載置されて、矩形状の表示面部３に樹脂製で湾曲変形するサイン板５を着脱可能に取り付けたものであり、スタンド型の看板として用いるものである。
スタンドサイン表示具１は、例えばブロー成形によって一体成形された中空体であり（図４参照）、図１に示すように、矩形状の本体部７と、本体部７の下方に連続して形成された脚部９を有している。
【００１１】
脚部９は、円筒形状の円筒部１１と、円筒部１１から厚みが急激に薄くなって矩形の本体部７に連続することで円筒部１１と本体部７を連結する連結部１３によって構成されている。
円筒部１１は中空であり、内部に水等の液体を入れることで、スタンドサイン表示具１を安定的に載置させることができる。
【００１２】
本体部７は、中空で矩形の板形状であり、本体部７の両面には周縁よりも数ｍｍ〜１ｃｍ程度だけ凹陥した縦長の長方形の表示面部３が形成されている（図４、図５参照）。
表示面部３は、図５に示されるように、額縁形状になっており、縁部１５の内側は凹陥部１７になっている。表示面部３における下部の縁部１５には、中空内に水等の液体を入れるための注水口１９が設けられており、キャップ２１で蓋ができるようになっている。
表示面部３における縁部１５は、図５に示すように、幅方向の中央部が両端よりも高くなるように湾曲している（図３参照）。
【００１３】
このように、湾曲していることで、取り付けられたサイン板５が表示面部３に沿って湾曲し、側方あるいは斜め側方から視認性を向上している。
また、サイン板５が上記のように湾曲することで、サイン板５は取付状態では、上下方向で折れ曲がる方向への変形がし難い状態になっている。反対に、取り付け状態の湾曲をさらに助長するような幅方向の変形はし易くなっている。
【００１４】
表示面部３の縁部１５には、サイン板５を保持して浮き上がりを防止するための浮上防止片２３が設けられている。
本実施の形態の浮上防止片２３は、表示面部３の両側辺のそれぞれの辺に３個設けられた側辺浮上防止片２３Ａと、下辺の中央部に１個設けられた下辺浮上防止片２３Ｂと、上辺の中央部に１個設けられた上辺浮上防止片２３Ｃとによって構成されている。
【００１５】
側辺浮上防止片２３Ａ及び下辺浮上防止片２３Ｂは同形状のもので、図５に示すように、コ字形状からなり、コ字の一方の片部２３Ａａが表示面部３に形成された凹部２５にビス２７によって固定されている。一方の片部２３Ａａをビス止めした状態で、他方の片部２３Ａｂと表示面部３の表面との間に隙間が形成され、その隙間にサイン板５が挿入される。
【００１６】
上辺浮上防止片２３Ｃは、矩形の可撓性を有する板状体からなり（図１、図５参照）、図４、図５に示すように、基端側が表示面部３の外側の周縁に形成された凹部２９にネジ部材３１によって回動可能に取り付けられている。ネジ部材３１を中心として回動することで、先端側が表示面部３に延出した状態と、退避した状態に切り替えることができるようになっている。
なお、図５に示すように、表示面部３の外側の周縁が上方に向かって傾斜する傾斜面になっていることで、上辺浮上防止片２３Ｃを退避させる際に、上辺浮上防止片２３Ｃが前記傾斜面にガイドされて湾曲するように撓むので、回動操作を容易に行うことができる。
【００１７】
以上のように構成された本実施の形態のサイン表示具において、サイン板５を設置する際には、上辺浮上防止片２３Ｃを、図５に示すように回動させて、先端側を表示面部３から退避させた状態にする。この状態で、図５に示すように、サイン板５の下辺を表示面部３の上辺近傍に位置させ、最も上部に設けられた側辺浮上防止片２３Ａと表示面部３との隙間に挿入する。そのまま、サイン板５を下方に押し下げて、上から２番目、３番目の側辺浮上防止片２３Ａと表示面部３との隙間に挿入し、さらに下辺浮上防止片２３Ｂと表示面部３との隙間に挿入する。
最後に、上辺浮上防止片２３Ｃを回動させて、先端側を図１に示すように、表示面部３側に延出させてサイン板５の上面に位置させる。
【００１８】
以上のようにして設置されているサイン板５は、下辺及び上辺の中央、両側辺では高さ方向に３カ所に浮上防止片２３が配置されている。すなわち、サイン板５の４辺の全て辺部に浮上防止片２３が配置され、各辺部の浮上が防止されている。浮上が防止されることによって、例えば、サイン板５の上辺が外側に膨らむよう変形して撓もうとしたときに、中央が浮上しないので、その半分の長さの辺で撓もうとするため剛性が高く、撓みにくくなっている。
【００１９】
上記のように構成されたスタンドサイン表示具１について、屋外に載置され、台風のような暴風にさらされた際の挙動について実験を行った。
実験は、上辺浮上防止片２３Ｃを設けた発明例と、上辺浮上防止片２３Ｃのない従来例について、スタンドサイン表示具を水平近くなるように寝かせた状態で、表示面部３の上辺に向けてブロアによって風を吹付けて、サイン板５が外れるかどうかを確認するというものである。スタンドサイン表示具をこのような姿勢にしたのは、台風の際にスタンドサイン表示具が倒れた状態を想定したものである。
【００２０】
従来例のものは、風がサイン板５と表示面部３の間に入り込み、風速が１５ｍ程度で、サイン板５の幅方向の中央がはらみ出すように湾曲し、これによって両側辺の側辺浮上防止片２３Ａによるサイン板５の係止が外れて、サイン板５が外れて宙を舞った。
他方、本発明例では、風速が２５ｍを超えても、サイン板５は外れることがなかった。この違いについて検討したところ、サイン板５がはらみ出すような変形をするとしても、サイン板５の上辺の中央に上辺浮上防止片２３Ｃがあるため、変形し難い、換言すれば剛性が高くなっているため、変形しないので、側辺浮上防止片２３Ａが外れる程度の変形ができなかったためと思われる。
【００２１】
また、表示面部３の側辺側からも風を送ることを行ったが、この場合には、従来例及び発明例ともにサイン板５は風速２５ｍでも外れなかった。これは、上述したように、サイン板５が幅方向中央部が高くなるように湾曲しているため、上下方向への湾曲する変形がし難いためであったと思われる。
【００２２】
以上のように、本実施の形態のスタンドサイン表示具１は、サイン板５を着脱できると共に、屋外に載置して、強風の際にもサイン板５が外れることがない。
なお、本発明は、サイン板５が樹脂等のように湾曲する材質のものであること、及び屋外に設置するスタンドサイン表示具であることを前提としており、単に矩形状の板材を着脱可能に取り付ける例えば、額のようなものとは技術思想として全く異なるものである。
【００２３】
また、上記の実施の形態では、上辺浮上防止片２３Ｃを、その先端側が表示面部３から退避可能となるように基端が取り付けられている例を示したが、上辺浮上防止片２３Ｃを固定して、両側辺のうちの一方の側辺の側辺浮上防止片２３Ａを、上記に示したような退避可能なものにしてもよい。
【００２４】
また、上記の実施の形態では、上辺浮上防止片２３Ｃの先端を表示面部３から退避可能にするための構成として、上辺浮上防止片２３Ｃの基端を回動可能に取り付ける構成の例を示したが、本発明はこれに限られるものではなく、先端側が表示面部３から退避可能になっておればよく、例えば板状の上辺浮上防止片２３Ｃが上下方向にスライドするようなものであってもよい。
【００２５】
また、上記の実施の形態では、側辺浮上防止片２３Ａを各側辺に３個、下辺浮上防止片２３Ｂ及び上辺浮上防止片２３Ｃをそれぞれ１個設けた例を示したが、これらの個数は限定されるものではなく、サイン板の各辺の長さや撓みやすさに応じて適宜設定すればよい。
【符号の説明】
【００２６】
１  スタンドサイン表示具
３  表示面部
５  サイン板
７  本体部
９  脚部
１１  円筒部
１３  連結部
１５  縁部
１７  凹陥部
１９  注水口
２１  キャップ
２３  浮上防止片
２３Ａ  側辺浮上防止片
２３Ａａ  一方の片部
２３Ａｂ  他方の片部
２３Ｂ  下辺浮上防止片
２３Ｃ  上辺浮上防止片
２５  凹部（側辺浮上防止片）
２７  ビス
２９  凹部（上辺浮上防止片）
３１  ネジ部材
【図１】
2020112734.tif 000003
【図２】
2020112734.tif 000004
【図３】
2020112734.tif 000005
【図４】
2020112734.tif 000006
【図５】
2020112734.tif 000007